(57)【要約】【課題】光情報記録媒体の包装に係る廃棄物を削減可能な使用態様に適した収納容器及び光情報記録媒体梱包物を提供する。【解決手段】本発明に係る収納容器は、光情報記録媒体をスピンドルケースに格納した第１の柱状体を収納するための第１の収納部と、光情報記録媒体をシュリンク包装した第２の柱状体を、第２の柱状体の底面と第１の柱状体の底面とが直交又は実質的に直交する向きで収納するための第２の収納部とを内部に有する。【選択図】図１２
2012030815.tif 000002
【特許請求の範囲】
【請求項１】
光情報記録媒体をスピンドルケースに格納した第１の柱状体を収納するための第１の収納部と、
光情報記録媒体をシュリンク包装した第２の柱状体を、当該第２の柱状体の底面と前記第１の柱状体の底面とが直交又は実質的に直交する向きで収納するための第２の収納部と、
を内部に有する収納容器。
【請求項２】
前記第１の収納部は、
前記第１の柱状体の底面が前記収納容器の底面に平行になるように前記第１の柱状体を載置するための第１の矩形板と、当該第１の矩形板の辺に連結され且つ当該第１の矩形板を一定の高さに保持する複数の側板とをさらに有し、
前記第２の収納部は、
前記第２の柱状体の外周側面が接するように載置するための第２の矩形板と、当該第２の矩形板の対向する２辺に連結され且つ前記第２の柱状体の外周側面と接する傾斜面である２つの側板とをさらに有する
請求項１記載の収納容器。
【請求項３】
前記第２の収納部を２以上有し、
前記第１の収納部の両側に前記第２の収納部が配置されている
請求項１又は２記載の収納容器。
【請求項４】
前記第１の収納部の側板と前記第２の矩形板とが連結されている
請求項２又は３記載の収納容器。
【請求項５】
前記第１の収納部と前記第２の収納部との間に仕切り部材をさらに有する
請求項１乃至４のいずれか１つ記載の収納容器。
【請求項６】
光情報記録媒体をスピンドルケースに格納した第１の柱状体を縦置きで収納した第１の収納部と、
光情報記録媒体をシュリンク包装した第２の柱状体を横置きで収納した第２の収納部と、
を内部に有する光情報記録媒体梱包物。
【発明の詳細な説明】
【技術分野】
【０００１】
本発明は、光情報記録媒体の収納容器に関する。
【背景技術】
【０００２】
数十枚程度の光情報記録媒体をまとめて包装する方法として、円柱状のケースであるスピンドルケースに収容する方法や、積み重ねた光情報記録媒体を熱収縮性フィルムで包装するシュリンク包装といった方法がある。また、これらの包装物を梱包する方法としては、緩衝効果のある部材と共に段ボール箱等に収納する方法がある。ここで、空間的な効率の観点から、スピンドルケースで包装された光情報記録媒体とシュリンク包装された光情報記録媒体とは、それぞれ同種の包装形態によるもののみをまとめて梱包するのが一般的である。
【先行技術文献】
【特許文献】
【０００３】
【特許文献１】特開平９−１８３４７５号公報
【特許文献２】特開２００３−４０３８３号公報
【特許文献３】特開２０００−１４２８６７号公報
【発明の概要】
【発明が解決しようとする課題】
【０００４】
近年、ごみの削減という要請から包装の簡易化が求められている。一方、光情報記録媒体には、傷や汚れ、変形等により記録再生特性が劣化しやすいという性質がある。つまり、包装の簡易化という点ではシュリンク包装に利があるが、光情報記録媒体の保護という点では、スピンドルケースの方が適していると言える。
【０００５】
従って、本発明の目的は、光情報記録媒体の包装に係る廃棄物を削減可能な使用態様に適した収納容器及び光情報記録媒体梱包物を提供することである。
【課題を解決するための手段】
【０００６】
本発明に係る収納容器は、光情報記録媒体をスピンドルケースに格納した第１の柱状体を収納するための第１の収納部と、光情報記録媒体をシュリンク包装した第２の柱状体を、第２の柱状体の底面と第１の柱状体の底面とが直交又は実質的に直交する向きで収納するための第２の収納部とを内部に有する。
【０００７】
スピンドルケースによる包装は光情報記録媒体の保護という点で有利ではあるが、光情報記録媒体を多く使用する場合はスピンドルケースのごみも多くなる。よって、最終的にはスピンドルケースから取り出して使用し、スピンドルケースが空になったときはシュリンク包装されたものを詰め替えるという使用態様が新たに着想された。ここで、例えば１つのスピンドルケースで包装されたものと１つ又は複数のシュリンク包装されたものとを組み合わせることで、このような使用態様に適したパッケージを提供できる。従来は異なる包装形態による光情報記録媒体を同梱するという着想自体がなかったが、上記のような収納容器によれば、廃棄物削減のための詰め替え使用に適した形で光情報記録媒体を収納する新たな収納容器を提供することができる。さらに、第１の柱状体の底面と第２の柱状体の底面とが直交又は実質的に直交する向きで収納するため、全体としてコンパクトに収納しつつ、収納物の取り出し易さも担保している。
【０００８】
また、本発明に係る収納容器の第１の収納部は、第１の柱状体の底面が収納容器の底面に平行になるように第１の柱状体を載置するための第１の矩形板と、第１の矩形板の辺に連結され且つ第１の矩形板を一定の高さに保持する複数の側板とをさらに有し、第２の収納部は、第２の柱状体の外周側面が接するように載置するための第２の矩形板と、第２の矩形板の対向する２辺に連結され且つ第２の柱状体の外周側面と接する傾斜面である２つの側板とをさらに有するようにしてもよい。このようにすれば、矩形板と側板とで緩衝効果のある収納部を形成することができる。他の側面では、スピンドルケースで包装された第１の柱状体はその底面が収納容器の底面と平行になるように（すなわち縦置きで）収納されており、取り出し易い向きになっている。
【０００９】
そして、本発明に係る収納容器は、第２の収納部を２以上有し、第１の収納部の両側に第２の収納部が配置されているようにしてもよい。このようにすれば、重心の偏りが少なくなり、保管時及び運搬時の安定性が増す。
【００１０】
また、本発明に係る収納容器は、第１の収納部の側板と第２の矩形板とが連結されているようにしてもよい。全ての矩形板及び側板が連結されることで、収納容器の廃棄時及びリサイクル時に扱い易くなる。
【００１１】
そして、本発明に係る収納容器は、第１の収納部と第２の収納部との間に仕切り部材をさらに有するようにしてもよい。運搬時及び保管時には緩衝効果を与えると共に、光情報記録媒体の使用時には仕切り部材を取り除くことで収納容器から取り出し易くすることができる。
【００１２】
また、本発明に係る光情報記録媒体梱包物は、光情報記録媒体をスピンドルケースに格納した第１の柱状体を縦置きで収納した第１の収納部と、光情報記録媒体をシュリンク包装した第２の柱状体を横置きで収納した第２の収納部とを内部に有する。廃棄物削減のための詰め替え使用に適し、スピンドルケースを取り出し易い向きに収納した光情報記録媒体梱包物を提供することができる。
【発明の効果】
【００１３】
光情報記録媒体の包装に係る廃棄物を削減可能な使用態様に適した収納容器及び光情報記録媒体梱包物を提供することができる。
【図面の簡単な説明】
【００１４】
【図１】図１は、実施の形態に係る収納容器の収納状態の一例を示す平面図である。
【図２】図２は、実施の形態に係る収納容器の収納状態の一例を示す断面図である。
【図３】図３は、比較例に係る収納容器の収納状態を示す平面図である。
【図４】図４は、比較例に係る収納容器の収納状態を示す平面図である。
【図５】図５は、比較例に係る収納容器の収納状態を示す断面図である。
【図６】図６は、実施の形態に係る収納容器の収納状態の一例を示す平面図である。
【図７】図７は、実施の形態に係る収納容器の収納状態の一例を示す断面図である。
【図８】図８は、実施の形態に係る収納容器の外箱の一例を示す展開図である。
【図９】図９は、実施の形態に係る収納容器の付属パットの一例を示す展開図である。
【図１０】図１０は、実施の形態に係る収納容器の仕切り部材の一例を示す展開図である。
【図１１】図１１は、実施の形態に係る収納容器の組み立てを説明するための斜視図である。
【図１２】図１２は、実施の形態に係る収納容器の使用状態を説明するための斜視図である。
【発明を実施するための形態】
【００１５】
図１は、本実施の形態に係る収納容器に光情報記録媒体を収納した状態を示す平面図である。まず、本実施の形態では、スピンドルケースで包装された光情報記録媒体（以下、ケース包装物１とする）とシュリンク包装された光情報記録媒体（以下、フィルム包装物２（図１では２ａ乃至２ｃ）とする）とを、例えば１つの段ボール箱３に収納する。本実施の形態ではケース包装物１が縦置きで、フィルム包装物２が横置きで、横一列に収納されている。すなわち、ケース包装物１の底面とフィルム包装物２の底面とは直交又は実質的に直交している。なお、ケース包装物１は縦置きに収納されているため、周囲には取り出す際に指をかけるスペースがある。図１ではフィルム包装物２の軸が外箱の長手方向を向いているが、短手方向を向いていてもケース包装物１が取り出し易いという点においては変わらない。
【００１６】
ここで、光情報記録媒体及びその包装状態の一般的な寸法について述べておく。光情報記録媒体（ＣＤ−Ｒ、ＤＶＤ−Ｒ、ＢＤ−Ｒ等）１枚は、直径が約１２０ｍｍ、厚みが約１．２ｍｍであり、これに加えて、積み重ねたときに上下の光情報記録媒体が面接触するのを防ぐための突起であるスタックリブがセンターホール付近に設けられている分のわずかな厚みがある。なお、これは規格化された形状である。
【００１７】
また、スピンドルケースは光情報記録媒体５０枚を収容できるものの一例として、直径１３０ｍｍ程度、高さ８０ｍｍ程度である。一方、光情報記録媒体５０枚をシュリンク包装した場合は、直径１２０ｍｍ程度、高さ７０ｍｍ程度になる。スピンドルケースは設計次第である程度大きさが変わるが、同数の光情報記録媒体を収容する場合、シュリンク包装したものよりも直径及び高さにおいて大きくなる。
【００１８】
ケース包装物１とフィルム包装物２とでは大きさが異なるため、これらが混在する場合には無駄な空間が生じやすく、従来は同種の包装物のみをまとめて収納していた。しかしながら、近年は環境問題への配慮から廃棄物の削減が要請されている。各包装形態について考察すると、ごみの削減という観点では包装を簡易化したシュリンク包装の方が適しているが、傷や汚れ、変形等から光情報記録媒体を保護するという観点ではスピンドルケースの方が適している。ここで、廃棄物削減のために、最終的にはスピンドルケースから取り出して使用し、スピンドルケースが空になったときはシュリンク包装されたものを詰め替えるという使用態様が新たに着想された。よって、ケース包装物１及びフィルム包装物２をまとめて収納することによりこのような使用態様に適したパッケージを提供することができる。
【００１９】
図２は、図１のＡ−Ａ’断面に係る断面図である。ケース包装物１の高さはフィルム包装物２の直径よりも小さいため上部に空間ができるが、ケース包装物１の上下に緩衝用部材を入れることでケース包装物１の保護を強化することができる。
【００２０】
ここで、包装物の軸方向と段ボール箱の長手方向とをそろえて全て横置きにした場合と比較検討する。図３は、全ての包装物を横置きにした場合の比較例に係る平面図である。上で述べた実施の形態と同様に、１つのケース包装物１１と３つのフィルム包装物１２（図３では１２ａ乃至１２ｃ）とが横一列に配置され、段ボール箱１３に収納されている。無駄な空間という点のみに着目すれば比較例の方が小さいと言えるが、このような収納態様では包装物に指をかける隙間がなく、家庭で使用する上では利便性に欠ける。図３に示すようにスペーサ１４を用いることで取り出し易くすることはできるが、そのための部材と空間が必要となる。
【００２１】
次に、全ての包装物を縦置きにした場合と比較検討する。図４は、全ての包装物を縦置きにした場合の別の比較例に係る平面図である。上で述べた実施の形態と同様に、１つのケース包装物２１と３つのフィルム包装物２２（図４では２２ａ乃至２２ｃ）とが横一列に配置され、段ボール箱２３に収納されている。全ての包装物が取り出し易いと言えるが、このような態様では段ボール箱２３の長手方向へより長くなるため、運搬時及び保管時には一般的に扱い難い形状となる。
【００２２】
また、図５は、図４のＢ−Ｂ’断面に係る断面図である。この比較例ではフィルム包装物２２の上部に無駄な空間ができるため、フィルム包装物２２の数をさらに増やした場合、無駄な空間はより大きくなる。
【００２３】
従って、使用時におけるユーザの利便性や運搬時及び保管時における扱い易さを総合的に考慮すれば、上で述べた実施の形態が使用態様に適したものと言える。なお、収納する包装物の数は上で述べた例に限定されるものではなく、包装物を横一列に配置する際の順番も、図１及び図２とは異なっていてもよい。ケース包装物１の両側に配置されたフィルム包装物２の数を近づけることで、段ボール箱３の重心が中央に近づくように収納すれば、運搬時及び保管時にバランスがとれ、安定する。また、デザイン的な観点から配置を決定してもよい。
【００２４】
本実施の形態では、例えば図６及び図７に平面図及び断面図を示すように、ケース包装物１の両側にフィルム包装物２を配置することで重心のバランスがとれ、より安定する。図６及び図７に示すように、段ボール箱３の中には、ケース包装物１が軸が鉛直方向となる縦置きに配置され、その片側にはフィルム包装物２ａ及び２ｂが、逆側にはフィルム包装物２ｃが、それぞれ軸が水平方向となる横置きで配置されている。図６からもわかるように、ケース包装物１の周囲には指をかけるスペースがあり、取り出し易くなっている。また、図示していないが、各包装物の収納部を段ボール板等で仕切ってもよい。さらに、包装物を載置するための緩衝性のある台座を設けてもよく、載置でなく挿嵌等することで包装物を保持してもよい。
【００２５】
次に、図６及び図７に示した配置で包装物を収納する収納容器の展開図を、図８乃至図１０に示す。図８は、本実施の形態に係る収納容器の外箱の展開図である。横板１０４ａ乃至１０５ｂが一列に連設され、横板１０４ａ乃至１０５ｂの各々に天板１０２ａ乃至１０３ｂと底板１０６ａ乃至１０７ｂとが連設され、横板１０４ａには横板１０５ｂと貼着するための接合片１０１がさらに連設されている。これらは１枚の段ボールにより形成されている。そして、一点鎖線を山折りに折り曲げ、接合片１０１及び横板１０５ｂ、底板１０６ａ乃至１０７ｂをそれぞれ貼着することで上面を開放した外箱が形成される。天板を閉じると、横幅Ｂ、奥行きＣ、高さＦの直方体状になる。その他の寸法は、接合片１０１の短手方向がＡ、天板及び底板の短手方向がＥとなっている。
【００２６】
本実施の形態に係る包装物を収納するのに適当な寸法は、例えば、Ａ＝３２ｍｍ、Ｂ＝３９４ｍｍ、Ｃ＝１４２ｍｍ、Ｄ＝１１０１ｍｍ、Ｅ＝７３ｍｍ、Ｆ＝１３８ｍｍ、Ｇ＝２８４ｍｍである。
【００２７】
図９は、本実施の形態に係る収納容器の付属パットの展開図である。ケース包装物１を載置するための台座となる矩形板１２４の四辺には、台座を一定の高さに保持するための側板１２５（図９では１２５ａ乃至１２５ｄ）が連設されている。また、対向する２つの側板１２５ａ及び側板１２５ｃの、矩形板１２４と連設されている１辺と対向する辺には、フィルム包装物２を載置するための台座となる矩形板１２２ａ及び１２２ｂが連設されている。そして、矩形板１２２ａ及び１２２ｂの、包装容器の長手方向と平行な辺には、フィルム包装物２の外周側面と接する傾斜面を形成するための側板１２３ａ乃至１２３ｆが連設されている。なお、矩形板１２２ａは２つのフィルム包装物２を載置するため、１つのフィルム包装物２を載置する矩形板１２２ｂよりも包装容器の長手方向に長い形状をしており、連設される側板１２３の数も倍になっている。さらに、矩形板１２２ａ及び１２２ｂの、側板１２５ａ及び１２５ｃと連設される１辺と対向する辺には、フィルム包装物２の底面又は上面と接する鉛直面となる側板１２１ａ及び１２１ｂが連設されている。なお、側板１２１ａ、１２１ｂ、１２５ａ及び１２５ｃと矩形板１２２ａ及び１２２ｂとの連設部には、側板側に数ミリ程度の切れ込みが入っており、組立後に矩形板１２２ａ及び１２２ｂを一定の高さに保持することができる。これらも、１枚の段ボールにより形成されており、廃棄時及びリサイクル時に扱い易い。また、側板１２１ｂに示された縦縞は段ボールのフルート方向である。
【００２８】
このような展開図から、載置面よりも高さＰだけ上部に保持されたＮ×Ｎの矩形板１２４による台座と、載置面よりも高さＩだけ上部に保持された（Ｉ＋Ｊ＋Ｋ＋Ｊ＋Ｋ＋Ｉ）×Ｑの矩形板１２２による台座とが組み立てられる。その他の寸法は、両端の側板１２１がＨ×Ｒ、矩形板１２２とで谷部を形成する側板１２３がＪ×Ｑ、矩形板１２４の脚部となる側板１２５ａ及び１２５ｃがＮ×Ｍ、側板１２５ｂ及び１２５ｄがＮ×Ｐとなっている。なお、Ｉは側板側に入った切れ込みの長さであり、Ｌは矩形板１２４側に入った切れ込みの長さである。各収納部の間には厚みＫ以下の仕切り板を挿入することのできるスペースがある。
【００２９】
本実施の形態に係る包装物を収納するのに適当な寸法は、例えば、Ｈ＝１２６ｍｍ、Ｉ＝３ｍｍ、Ｊ＝７６ｍｍ、Ｋ＝５ｍｍ、Ｌ＝２ｍｍ、Ｍ＝２５ｍｍ、Ｎ＝１３１ｍｍ、Ｐ＝２７．５ｍｍ、Ｑ＝６２ｍｍ、Ｒ＝１３５ｍｍ、Ｓ＝２５．５ｍｍ、Ｔ＝１８６ｍｍ、Ｕ＝６８８ｍｍである。
【００３０】
また、図１０は、本実施の形態に係る収納容器の仕切り板を示す展開図である。仕切り板は、Ｒ×Ｖの段ボール板により形成されている。なお、側板１３１に示された縦縞は段ボールのフルート方向である。例えば、Ｒ＝１３５ｍｍ、Ｖ＝１２３ｍｍとすれば、収納容器の各収納部を仕切るのに適当なものとなる。
【００３１】
次に、図８乃至図１０で説明した展開図に係る収納容器の組立及び使用について、図１１及び図１２を用いて説明する。図１１は、付属パット及び仕切り板の組立時の状態を示す斜視図である。図９の付属パットは、矩形板１２４と各側板との境界に示した一点鎖線を約９０度山折りに折り曲げ、矩形板１２２と側板１２１及び１２５との境界に示した二点鎖線を約９０度谷折りに折り曲げ、矩形板１２２と側板１２３との境界に示した二点鎖線を谷側が鈍角となるよう谷折りに折り曲げることで、図１１の下に示すような台座を形成することができる。また、各収納部の間には、図１１の上に示した仕切り板をそのまま下方へ挿入することができるだけのスペースがある。この仕切り板は上方へ引き抜くことで取り外し可能であり、これを取り外すことで収納物が取り出し易くなる。矩形板１２４は側板１２５により外箱の底面よりも上部に保持され、矩形板１２２は側版１２１及び１２５に設けられた切れ込みの分だけ外箱の底面よりも上部に保持される。矩形板１２４にはケース包装物１が縦置きで載置され、矩形板１２２及び側板１２３により形成された谷部にはフィルム包装物２が横置きで載置されることになる。
【００３２】
図１２は、本実施の形態に係る収納容器の使用時の状態を示す斜視図である。付属パット及び仕切り板を図８の外箱に納めると、図１２の下に示すような収納容器が形成される。図１２の上には図６及び図７と同じ配置で光情報記録媒体の包装物を示しており、そのまま下方の各収納部へ収納することができる。付属パット及び仕切り板には緩衝性があり、包装物が保護される。
【００３３】
以上、本発明の実施の形態を説明したが、本発明はこれに限定されるものではない。例えば、収納部の個数、配置、大きさ等は収納物品に応じて適宜決定すればよい。また、包装容器の材質も適宜選択することができる。図８乃至図１０に示した展開図も一例であり、例えば各部分は一体形成されていなくてもよく、収納物品に合わせて個数、配置、大きさ等は適宜決定することができる。
【符号の説明】
【００３４】
１  ケース包装物    ２  フィルム包装物
３  段ボール箱
１２１，１２３，１２５  側板
１２２，１２４  矩形板
１３１  仕切り板
【図１】
2012030815.tif 000003
【図２】
2012030815.tif 000004
【図３】
2012030815.tif 000005
【図４】
2012030815.tif 000006
【図５】
2012030815.tif 000007
【図６】
2012030815.tif 000008
【図７】
2012030815.tif 000009
【図８】
2012030815.tif 000010
【図９】
2012030815.tif 000011
【図１０】
2012030815.tif 000012
【図１１】
2012030815.tif 000013
【図１２】
2012030815.tif 000014